(57)【特許請求の範囲】
【請求項１】
廃プラスチックおよび水を混合槽で混合してスラリーとなし、前記スラリーを遠心式比重分離装置に供給し、前記遠心式比重分離装置によって前記廃プラスチック中の塩素含有プラスチックを分離する方法において、前記遠心式比重分離装置に供給される前記スラリーの流量を測定し、その測定値に応じて前記混合槽への廃プラスチックの投入量を制御して前記遠心式比重分離装置に供給される廃プラスチックの量を調整することを特徴とする遠心式比重分離装置によって廃プラスチックから塩素含有プラスチックを分離する方法。
【請求項２】
廃プラスチックおよび水を混合槽で混合してスラリーとなし、前記スラリーを遠心式比重分離装置に供給し、前記遠心式比重分離装置によって前記廃プラスチック中の塩素含有プラスチックを分離する方法において、前記スラリーを前記遠心式比重分離装置に供給するためのスラリー供給ポンプのモータの電流を測定し、その電流変化に応じて前記混合槽への廃プラスチックの投入量を制御して前記遠心式比重分離装置に供給される廃プラスチックの量を調整することを特徴とする遠心式比重分離装置によって廃プラスチックから塩素含有プラスチックを分離する方法。
【発明の詳細な説明】
【０００１】
【発明の属する技術分野】
この発明は、一般および産業廃棄物中の複数種からなる廃棄プラスチック（以下、「廃プラスチック」という）、特に、容器包装プラスチックから塩素含有プラスチックを、高炉等の炉吹き込み原料やその他の固形燃料（以下、「ＲＤＦ」という）および油化等の用途に再利用するに際し、湿式分離方法、特に、遠心式比重分離装置によって、廃プラスチックから塩素含有プラスチックを分離する方法に関するものである。
【０００２】
【従来の技術】
一般および産業廃棄物中のプラスチック系廃棄物（廃プラスチック）は、大部分が他の廃棄物と一緒に埋立処分または焼却処分されている。
【０００３】
しかしながら、廃プラスチックを埋立処分するには、容積率が大きいため広大な土地を必要とする問題がある。
【０００４】
また、廃プラスチックを焼却処理すると、塩素含有プラスチック｛ＰＶＣ（ポリ塩化ビニル）、ＰＶＤＣ（ポリ塩化ビニリデン）｝が熱分解して有毒な塩化水素ガスを排出する問題がある。
【０００５】
一方、廃プラスチックを鉄源の還元剤として高炉吹き込みに供する場合には、廃プラスチック中の塩素含有プラスチックの許容含有率を１％以下に低減させる必要がある。
【０００６】
廃プラスチックから塩素含有プラスチックを分離する方法としては、シンクフロート、液体サイクロン、湿式縦形分離装置および遠心式比重分離装置といった湿式分離方法、および、近赤外線やＸ線の吸収差等を利用して塩素含有プラスチックを識別し、エアー等ではじき飛ばす乾式分離方法が知られている。
【０００７】
また、特開平９−８５１２０号公報には、混合プラスチックから塩素含有プラスチックを比重分離によって分離する場合に、遠心式比重分離装置を適用する技術が開示されている（以下、「先行技術１」という）。
【０００８】
先行技術１は、遠心分離機により比重の異なる固体物質を、媒体液を用いて分別する処理法において、該媒体液に凝集剤および／または吸着剤を添加し、媒体液中の汚染物質を凝集および／または吸着させて媒体液より比重の大きい粒子群を形成せしめ、これを重量物質側に排除することにより浄化された媒体及び回収物質を得るものである。
【０００９】
【発明が解決しようとする課題】
しかしながら、湿式分離方法では比重の差が無いＰＥＴ（ポリエチレンテレフタレート）と塩素含有プラスチック（ＰＶＣ等）とを分離することは不可能である。
【００１０】
また、ＰＳ（ポリスチレン）を浮上分離させるためには、比重１．２程度の重液を使用しなくてはならない。
【００１１】
一方、乾式分離方法では、フィルム系のプラスチックは整列が困難であり、処理量が低いといった問題がある。
【００１２】
先行技術１に開示されている遠心式比重分離装置においては、その本体内で、遠心力を与えるために円筒状の外筒が高速度で回転し、また、分離物を内部から掻き出すためのスクリュー部も同様に高速度で回転をしている。そのため、内部に供給するプラスチック類の大幅な変動に機械が追従できず、内部での閉塞や分離効率の低下をもたらすといった問題がある。
【００１３】
従って、この発明の目的は、廃プラスチックからの塩素含有プラスチックの湿式分離、特に、遠心式比重分離装置による分離効率を高く維持することができる塩素含有プラスチックの分離方法を提供することにある。
【００１４】
【課題を解決するための手段】
上記問題点は、遠心式比重分離装置本体に供給される水および廃プラスチックからなるスラリーの流量を測定し、そのスラリー流量の測定値に応じて混合槽への廃プラスチックの供給量を制御することによって解決される。
【００１５】
本来、廃プラスチックの供給量は、スラリー中のプラスチック濃度とスラリーの流量とによって決定される。従って、廃プラスチックの供給量を正確に測定するためには、スラリー中のプラスチック濃度を測定する必要がある。しかし、プラスチック濃度はバッチ処理で測定せざるを得ないため、運転制御には使用できない。
【００１６】
図２は、プラスチック濃度とスラリー流量との関係を示すグラフである。上記問題解決のため研究した結果、我々は、図２に示すように、スラリー供給のためのポンプの回転出力が同じ場合には、スラリー中のプラスチック濃度（％）が高いときはスラリー流量（ｍ３／ｈ）が低下し、逆にプラスチック濃度が低いときはスラリー流量が上昇することを知見した。この発明は、上述の知見によりなされたものである。
【００１７】
請求項１記載の発明は、廃プラスチックおよび水を混合槽で混合してスラリーとなし、前記スラリーを遠心式比重分離装置に供給し、前記遠心式比重分離装置によって前記廃プラスチック中の塩素含有プラスチックを分離する方法において、前記遠心式比重分離装置に供給される前記スラリーの流量を測定し、その測定値に応じて前記混合槽への廃プラスチックの投入量を制御して前記遠心式比重分離装置に供給される廃プラスチックの量を調整することに特徴を有するものである。
【００１８】
請求項２記載の発明は、廃プラスチックおよび水を混合槽で混合してスラリーとなし、前記スラリーを遠心式比重分離装置に供給し、前記遠心式比重分離装置によって前記廃プラスチック中の塩素含有プラスチックを分離する方法において、前記スラリーを前記遠心式比重分離装置に供給するためのスラリー供給ポンプのモータの電流を測定し、その電流変化に応じて前記混合槽への廃プラスチックの投入量を制御して前記遠心式比重分離装置に供給される廃プラスチックの量を調整することに特徴を有するものである。
【００１９】
スラリー流量は、電磁流量計等を使用してオンラインで測定が可能である。遠心式比重分離装置に供給されるスラリーの流量を測定（モニタリング）し、混合槽への廃プラスチックの投入量を制御することによって、スラリー中のプラスチック濃度を一定に調整することができる。その結果、遠心式比重分離装置本体に供給される廃プラスチック量の変動を抑えることができる。
【００２０】
また、スラリー供給ポンプのモータ電流を測定し、その電流変化に応じて混合槽への廃プラスチックの投入量を制御してスラリー流量が一定になるように調整しても上記と同一の効果が得られる。
【００２１】
遠心式比重分離装置内に常に一定の廃プラスチックが供給されることにより、供給過多等による遠心式比重分離装置本体内部での閉塞および分離効率の低下が防止される。
【００２２】
【発明の実施の形態】
次に、この発明の実施の形態を図面を参照しながら説明する。
【００２３】
図１は、この発明の実施の形態に係る図面であり、廃プラスチックから塩素含有プラスチックを分離する工程を、実施に使用される設備機器を図示して説明する工程図である。
【００２４】
あらかじめ、２０ｍｍ以下程度に破砕された廃プラスチック１０は、コンベア１によって洗浄混合槽２に投入され、攪拌機３によって攪拌され、水（比重液）により洗浄、混合される。そして、廃プラスチックおよび水のスラリーは、スラリー供給ポンプ４によって遠心式比重分離装置本体５（分離槽）に供給され、ここで、水に対する比重差に応じて再利用するのに有用な軽量物７と、塩素含有プラスチックが含まれている重量物６とに分離され、それぞれ排出口より排出される。水はタンク１１を経由して循環ポンプ９によって洗浄混合槽２に戻り、循環利用される。
【００２５】
このとき、スラリーを遠心式比重分離装置本体５に供給するにあたり、スラリー流量計８によって供給されるスラリー流量を測定し、その値に応じてコンベア１の速度を制御して、常に一定のプラスチック濃度、スラリー流量になるように、洗浄混合槽２への廃プラスチックの投入量を制御する。かくして、遠心式比重分離装置に供給される廃プラスチックの量が所定値に調整される。具体的には、スラリー流量が低下した場合にはプラスチック濃度が上昇しているので、コンベア１の投入速度を低く制御し、逆にスラリー流量が上昇した場合には投入速度を高くする制御を行う。
【００２６】
なお、この制御は、スラリー流量の絶対値を使用し、あるいは、流量の変化（微分値）を使用して行うすることも可能である。
【００２７】
また、スラリー流量が一定になるようにスラリー供給ポンプのモータを制御し、モータに流れる電流の負荷変動を使用しても上記と同一の効果が得られる。即ち、スラリー供給ポンプ４のモータ電流を測定し、その電流変化に応じて洗浄混合槽２への廃プラスチックの投入量を制御してスラリー流量が一定になるように調整する方法によって行う。
【００２８】
【発明の効果】
以上説明したように、この発明によれば、遠心式比重分離装置の内部閉塞が防止されるとともに分離効率を高いレベルに維持し、塩素含有プラスチック含有量が１％以下の軽量プラスチックを安定して得ることができ、この軽量プラスチックの造粒を行って高炉原料やＲＤＦ等として種々の再利用に供することができ、かくして有用な効果がもたらされる。
【図面の簡単な説明】
【図１】この発明の実施の形態に係る廃プラスチックから塩素含有プラスチックを分離する工程を、実施に使用される設備機器を図示して説明する工程図である。
【図２】プラスチック濃度とスラリー流量との関係を示すグラフである。
【符号の説明】
１  コンベア
２  洗浄混合槽
３  攪拌機
４  スラリー供給ポンプ
５  遠心式比重分離装置本体
６  重量物
７  軽量物
８  スラリー流量計
９  循環ポンプ
１０  廃プラスチック
１１  タンク
【図１】
0003614023.tif 000002
【図２】
0003614023.tif 000003